(57)【要約】    【課題】      コンプレストモードが発生した場合であっても検出機能による評価を行い適切なＴＦＣ（トランスフォーマットコンビネーション）を選択すること。    【解決手段】  コンプレストモード情報発生部１７３は、コンプレストモードが発生した場合にギャップ区間及びギャップ開始スロット番号を送信電力判定部１７４に出力する。送信電力判定部１７４は、ＴＦＣ毎に当該ＴＦＣの送信電力が上限値を超えたスロットの数を計数する。このとき、送信電力判定部１７４は、ギャップ区間の各スロットについては、ＴＦＣの送信電力を、ギャップ区間以外のスロットのＴＦＣの送信電力に置き換える。ＴＦＣ状態管理部１７５は、送信電力判定部１７４の計数結果に基づいて各ＴＦＣの状態を決定する。  【選択図】      図１
2006019868.tif 000002
【特許請求の範囲】
【請求項１】
コンプレストモード時にスロットを送信しないギャップ区間を設ける通信端末装置であって、
各ＴＦＣ（トランスフォーマットコンビネーション）の送信電力を計算する送信電力計算手段と、
ＴＦＣ用の送信電力の上限値を算出する上限値計算手段と、
無線フレームに少なくとも１回、所定のタイミングで、直近の過去からＮスロット（Ｎは２以上の整数）の測定区間において各ＴＦＣの送信電力が前記上限値を超えたスロットの数を計数する送信電力判定手段と、
前記送信電力判定手段の計数結果に応じて各ＴＦＣの状態を決定するＴＦＣ状態管理手段と、
所定の状態のＴＦＣの中から１つのＴＦＣを選択するＴＦＣ選択手段と、を具備し、
前記送信電力判定手段は、ギャップ区間の各スロットのＴＦＣの送信電力を所定の値に置き換えることを特徴とする通信端末装置。
【請求項２】
前記送信電力判定手段は、ギャップ区間の各スロットのＴＦＣの送信電力を、ギャップ区間以外のスロットのＴＦＣの送信電力に置き換えることを特徴とする請求項１記載の通信端末装置。
【請求項３】
前記送信電力判定手段は、ギャップ区間の各スロットのＴＦＣの送信電力を所定の定数に置き換えることを特徴とする請求項１記載の通信端末装置。
【請求項４】
コンプレストモード時にスロットを送信しないギャップ区間を設ける通信端末装置であって、
各ＴＦＣ（トランスフォーマットコンビネーション）の送信電力を計算する送信電力計算手段と、
ＴＦＣ用の送信電力の上限値を算出する上限値計算手段と、
無線フレームに少なくとも１回、所定のタイミングで、直近の過去からＮスロット（Ｎは２以上の整数）の測定区間において各ＴＦＣの送信電力が前記上限値を超えたスロットの数を計数する送信電力判定手段と、
前記送信電力判定手段の計数結果に応じて各ＴＦＣの状態を決定するＴＦＣ状態管理手段と、
所定の状態のＴＦＣの中から１つのＴＦＣを選択するＴＦＣ選択手段と、を具備し、
前記ＴＦＣ状態管理手段は、前記測定区間にギャップ区間が存在する場合には、前回の計数結果に応じて各ＴＦＣの状態を決定することを特徴とする通信端末装置。
【請求項５】
コンプレストモード時にスロットを送信しないギャップ区間を設ける通信端末装置であって、
各ＴＦＣ（トランスフォーマットコンビネーション）の送信電力を計算する送信電力計算手段と、
ＴＦＣ用の送信電力の上限値を算出する上限値計算手段と、
無線フレームに少なくとも１回、所定のタイミングから過去Ｎスロット（Ｎは２以上の整数）に、ギャップ区間が存在しない場合には前記タイミングで、ギャップ区間が存在する場合には当該ギャップ区間の直前のスロットのタイミングで、直近の過去からＮスロットの測定区間において各ＴＦＣの送信電力が前記上限値を超えたスロットの数を計数する送信電力判定手段と、
前記送信電力判定手段の計数結果に応じて各ＴＦＣの状態を決定するＴＦＣ状態管理手段と、
所定の状態のＴＦＣの中から１つのＴＦＣを選択するＴＦＣ選択手段と、を具備することを特徴とする通信端末装置。
【請求項６】
コンプレストモード時にスロットを送信しないギャップ区間を設ける通信端末装置であって、
各ＴＦＣ（トランスフォーマットコンビネーション）の送信電力を計算する送信電力計算手段と、
ＴＦＣ用の送信電力の上限値を算出する上限値計算手段と、
無線フレームに少なくとも１回、所定のタイミングから過去Ｎスロット（Ｎは２以上の整数）に、ギャップ区間が存在しない場合には前記タイミングで、ギャップ区間が存在する場合には前記タイミングから前記ギャップ区間経過後のタイミングで、前記ギャップ区間を除く直近の過去からＮスロットの測定区間において各ＴＦＣの送信電力が前記上限値を超えたスロットの数を計数する送信電力判定手段と、
前記送信電力判定手段の計数結果に応じて各ＴＦＣの状態を決定するＴＦＣ状態管理手段と、
所定の状態のＴＦＣの中から１つのＴＦＣを選択するＴＦＣ選択手段と、を具備することを特徴とする通信端末装置。
【請求項７】
コンプレストモード時にスロットを送信しないギャップ区間を設ける通信端末装置であって、
各ＴＦＣ（トランスフォーマットコンビネーション）の送信電力を計算する送信電力計算手段と、
ＴＦＣ用の送信電力の上限値を算出する上限値計算手段と、
無線フレームに少なくとも１回、所定のタイミングで、直近の過去からＮスロット（Ｎは２以上の整数）の測定区間において各ＴＦＣの送信電力が前記上限値を超えたスロットの数を計数する送信電力判定手段と、
前記送信電力判定手段の計数結果に所定の係数を乗算する計数演算手段と、
前記計数演算手段の計算結果に応じて各ＴＦＣの状態を決定するＴＦＣ状態管理手段と、
所定の状態のＴＦＣの中から１つのＴＦＣを選択するＴＦＣ選択手段と、を具備することを特徴とする通信端末装置。
【請求項８】
前記計数演算手段は、前記送信電力判定手段の計数結果にＮ／（Ｎ−Ｍ）の係数（Ｍは前記測定区間に含まれるギャップ区間のスロット数）を乗算することを特徴とする請求項７記載の通信端末装置。
【請求項９】
前記計数演算手段は、前記送信電力判定手段の計数結果にＮを乗じたものと、（Ｎ−Ｍ）に定数を乗じたもの（Ｍは前記測定区間に含まれるギャップ区間のスロット数）との減算を行うことを特徴とする請求項７記載の通信端末装置。
【発明の詳細な説明】
【技術分野】
【０００１】
本発明は、ＣＤＭＡ方式の無線通信システムに使用される通信端末装置に関する。
【背景技術】
【０００２】
無線通信システムの上り回線では、通信端末装置の総送信電力が最大送信電力を超えてしまう場合、いずれかのチャネルの送信を停止する、もしくは、伝送レートを下げる等の制御を行い、総送信電力が最大送信電力を超えないようにすることが必要となる。Ｗ-ＣＤＭＡの３ＧＰＰ（3rd Generation Partnership Project）のRelease99仕様では、これを実現する方法としてトランスポートフォーマットコンビネーションセレクション(Transport Format Combination Selection：以下、「ＴＦＣ選択」という）が標準化されている。ここで、最大送信電力とは、制御局によって設定される最大許容上り送信電力あるいは通信端末装置の最大送信電力のいずれか小さい方を指す。
【０００３】
ＴＦＣ選択では、通信端末装置が、複数のＤＣＨ（個別チャネル)でデータを多重して伝送する場合に、各ＤＣＨで送信するデータ量等を示すトランスポートフォーマット（Transport Format：以下、「ＴＦ」と省略する)の組合せであるトランスポートフォーマットコンビネーション(Transport Format Combination：以下、「ＴＦＣ」と省略する)毎に総送信電力が最大送信電力を超えないか否かを判定し、送信可能なＴＦＣを選択する。なお、以下の説明において、全てのＴＦＣの集合をＴＦＣＳ（Transport Format Combination Set）という。
【０００４】
以下、ＴＦＣ選択について図面を用いて具体的に説明する。図９では、ＤＣＨが２つで、ＤＣＨ＃１には３つのＴＦがあり、ＤＣＨ＃２には２つのＴＦがある場合を示す（図９（Ａ））。この場合、図９（Ｂ）に示すように、ＴＦＣ１〜ＴＦＣ６の６通りのＴＦＣが存在することになる。なお、図９（Ａ）、（Ｂ）では、各ＴＦのビット数を横軸の長さで表している。
【０００５】
ここで、単位時間に送信しなければならないビット数が増えるほど伝送レートを速くする必要があり、所定の品質を得るためには伝送レートが速いほど送信電力を高くしなければならない。図９（Ｃ）では各ＴＦＣの送信電力を横軸の長さで表し、点線は最大送信電力Ｐmaxを示している。
【０００６】
図９（Ｃ）の場合、通信端末装置は、ＴＦＣＳにおけるＴＦＣ１〜ＴＦＣ３において総送信電力が最大送信電力Ｐmaxを下回るので送信可能と判定し、ＴＦＣＳにおけるＴＦＣ４〜ＴＦＣ６において総送信電力が最大送信電力Ｐmaxを上回り送信電力が足りないため送信不可能と判定する。そして、通信端末装置は、送信可能と判定したＴＦＣ１〜ＴＦＣ３の中から１つのＴＦＣを選択する。
【０００７】
次に、Release99のＴＦＣ選択における検出機能及びＴＦＣＳ制限機能について、図面を用いて説明する。
【０００８】
図１０の状態遷移図に示すように、通信端末装置は、検出機能として、１フレーム（＝１５スロット）毎に、各ＴＦＣについてElimination criterion/Recovery criterionの検出を行う。具体的には、Supported state（送信可能状態）であるＴＦＣについて、そのＴＦＣに必要な送信電力が最大送信電力を超えることが直前の連続するＹ[slot]のうち少なくともＸ[slot]（Ｘは連続でなくても良い）あった場合に、Elimination criterionが検出され、Excess power state（電力過剰状態）に遷移する。また、Excess power stateあるいはBlocked state（送信停止状態）であるＴＦＣについて、そのＴＦＣに必要な送信電力が最大送信電力を超えないことが直前の連続するＺ[slot]あった場合に、Recovery criterionが検出され、Supported stateに遷移する。なお、パラメータＸ、Ｙ、Ｚは図１１に示す値をデフォルト値とする。
【０００９】
図１２は、ＴＦＣＳ制限機能のタイミングを示す図である。図１２に示すように、従来のＴＦＣ選択方法では、検出機能でSupported stateに遷移してからＴdelay_transition（デフォルト値は６０ms）後に制限機能でSupported stateに遷移する。また、検出機能でExcess power stateに遷移してからＴdelay_transition後に制限機能でBlocked stateに遷移する。
【００１０】
以上のようにして、通信端末装置は、更新されたSupported Stateに属するＴＦＣ群の中から現在のサービスに最適なＴＦＣを選択することができるようになる。
【００１１】
図１３は、検出機能のタイミングの一例を示す図である。図１３において、ＴＦＣに必要な送信電力が最大送信電力を超える場合を「×」、超えない場合を「○」で示す。また、パラメータＸ、Ｙ、Ｚは図１１に示した値をデフォルト値とする（Ｘ＝１５，Ｙ＝３０，Ｚ＝３０）。
【００１２】
評価ポイント１では、直前の連続する３０スロットである測定区間において最大送信電力を超えるスロットが１０スロットであるため、現在の状態から遷移しない。また、評価ポイント２では、測定区間において最大送信電力を超えるスロットが１５スロットであるため、現在の状態がSupported stateである場合にはExcess power stateに遷移する。
【００１３】
ここで、送信中に図１４に示すようにコンプレストモードが発生した場合、スロットを送信しない区間（ギャップ区間）が生じる。そして、ギャップ区間が存在する場合に上記の検出機能による評価方法は適用できず、新たな評価方法が必要となる。
【非特許文献１】3GPP  Release99  TS25.321  11.4
【発明の開示】
【発明が解決しようとする課題】
【００１４】
しかしながら、これまで、コンプレストモードが発生した場合にも適用可能な検出機能による評価方法が開発されていない。
【００１５】
本発明はかかる点に鑑みてなされたものであり、コンプレストモードが発生した場合であっても検出機能による評価を行い適切なＴＦＣを選択することができる通信端末装置を提供することを目的とする。
【課題を解決するための手段】
【００１６】
かかる課題を解決するため、本発明の通信端末装置は、コンプレストモード時にスロットを送信しないギャップ区間を設ける通信端末装置であって、各ＴＦＣ（トランスフォーマットコンビネーション）の送信電力を計算する送信電力計算手段と、ＴＦＣ用の送信電力の上限値を算出する上限値計算手段と、無線フレームに少なくとも１回、所定のタイミングで、直近の過去からＮスロット（Ｎは２以上の整数）の測定区間において各ＴＦＣの送信電力が前記上限値を超えたスロットの数を計数する送信電力判定手段と、前記送信電力判定手段の計数結果に応じて各ＴＦＣの状態を決定するＴＦＣ状態管理手段と、所定の状態のＴＦＣの中から１つのＴＦＣを選択するＴＦＣ選択手段と、を具備し、前記送信電力判定手段は、ギャップ区間の各スロットのＴＦＣの送信電力を所定の値に置き換える構成を採る。
【発明の効果】
【００１７】
本発明によれば、ギャップ区間の各スロットのＴＦＣの送信電力を所定の値に置き換える等の処理を行うことにより、コンプレストモードが発生した場合であっても検出機能による評価を行い適切なＴＦＣを選択することができる
【発明を実施するための最良の形態】
【００１８】
以下、本発明の実施の形態について図面を参照して詳細に説明する。
【００１９】
（実施の形態１）
図１は、本発明の実施の形態１に係る通信端末装置の構成を示すブロック図である。
【００２０】
まず、図１の通信端末装置の受信部の構成について説明する。
【００２１】
受信無線部１０２は、アンテナ１０１に受信された信号をベースバンド信号にダウンコンバートし、Ａ／Ｄ変換処理を行う。
【００２２】
逆拡散部１０３は、受信無線部１０２の出力信号に対してＤＣＨ用の拡散コードで逆拡散処理を行う。復調部１０４は、逆拡散部１０３の出力信号に対して復調処理を行う。チャネルデコード部１０５は、復調部１０４の出力信号に対して復号処理を行い、受信ＤＣＨデータ及び上り回線用の送信電力制御コマンド（以下、「ＵＬ−ＴＰＣ」という）を取り出す。ＵＬ−ＴＰＣは、送信電力制御部１５４に入力される。
【００２３】
ＳＩＲ測定部１０６は、逆拡散部１０３の出力信号の希望波電力を測定し、希望波電力の分散値から干渉波電力を算出し、希望波電力と干渉波電力との比（以下、「ＳＩＲ」という）を測定する。ＴＰＣ生成部１０７は下り回線の受信ＳＩＲと目標ＳＩＲとの大小関係により、下り回線の送信電力の増減を指示する下り回線用の送信電力制御コマンド（以下、「ＤＬ−ＴＰＣ」という）を生成する。ＤＬ−ＴＰＣはチャネルエンコード部１５１に入力される。
【００２４】
逆拡散部１０９は、受信無線部１０２の出力信号に対してＣＰＩＣＨ（共通制御チャネル）用の拡散コードで逆拡散処理を行う。復調部１１０は、逆拡散部１０９の出力信号に対して復調を行う。チャネルデコード部１１１は、デコードを行い、ＣＰＩＣＨのデータを取り出す。
【００２５】
次に、図１の通信端末装置の送信部の構成について説明する。
【００２６】
チャネルエンコード部１５１は、パイロットシンボル（ＰＩＬＯＴ）およびＤＬ−ＴＰＣに対して符号化処理を行う。変調部１５２は、チャネルエンコード部１５１の出力信号に対して変調処理を行う。拡散部１５３は、変調部１５２の出力信号に対して拡散処理を行う。送信電力制御部１５４は、記憶している送信電力をＵＬ−ＴＰＣに基づいて増減し、増幅部１５５を制御する。増幅部１５５は、送信電力制御部１５４の制御に基づいて拡散部１５３の出力信号を増幅し、ＤＰＣＣＨ（個別制御チャネル）の信号として送信無線部１８４に出力する。
【００２７】
ＴＦＣ送信電力計算部１７１は、ＤＰＣＣＨの送信電力に各ＴＦＣのオフセットを加算することにより各ＴＦＣの送信電力を計算する。この結果、各ＴＦＣの送信電力は、ＤＰＣＣＨの送信電力に対して所定のオフセットを有することとなる。ＴＦＣ送信電力計算部１７１は、算出した各ＴＦＣの送信電力を送信電力判定部１７４に出力する。
【００２８】
上限値計算部１７２は、上位局（ＵＴＲＡＮ：Universal Terrestrial Radio Access Network）によって設定される最大許容上り送信電力と自局の最大送信電力とを入力し、小さい方を上限値（最大送信電力Ｐmax）として送信電力判定部１７４に出力する。
【００２９】
コンプレストモード情報発生部１７３は、コンプレストモードが発生した場合にギャップ区間及びギャップ開始スロット番号を送信電力判定部１７４に出力する。
【００３０】
送信電力判定部１７４は、ＴＦＣ毎に当該ＴＦＣの送信電力と上限値をメモリに記憶する。そして、送信電力判定部１７４は、フレームの終端のタイミングで、直近の過去からＹスロット（Ｙは２以上の整数、以下の説明ではＹ＝３０とする。）の測定区間においてＴＦＣ毎に当該ＴＦＣの送信電力が上限値を超えたスロットの数を計数する。このとき、送信電力判定部１７４は、ギャップ区間の各スロットについては、ＴＦＣの送信電力を、ギャップ区間以外のスロットのＴＦＣの送信電力に置き換える。ＴＦＣの送信電力を置き換える元のスロットとして、例えば、直近の通常フレームの最終スロット、ギャップ区間の直前又はギャップ区間直後のスロット等が挙げられる。図２はその一例であり、ギャップ区間がＮフレームとＮ＋１フレームの２フレームにまたがる場合（double-frame method）であって、送信電力判定部１７４が、Ｎフレーム（１１〜１５スロット）のギャップ区間ではギャップ区間の直前のスロット（Ｎフレームの１０スロット）の送信電力に置き換え、Ｎ＋１フレーム（１〜４スロット）のギャップ区間ではギャップ区間の直後のスロット（Ｎ＋１フレームの５スロット）の送信電力に置き換え、評価ポイント１、２において計数処理を行う場合を示す。なお、ギャップ区間が１フレーム内に収まる場合（single-frame method）には、ギャップ区間の直前、直後のスロットの送信電力の平均値、あるいは、小さい方の値を用いても良い。
【００３１】
そして、送信電力判定部１７４は、測定区間中にＴＦＣの送信電力が上限値を超えたスロットがＸスロット（Ｘは１以上の整数、以下の説明ではＸ＝１５とする。）以上か否かを示す第１情報（Ｘスロット以上の場合：第１情報は「１」、Ｘスロット未満の場合：第１情報「０」）、測定区間中にＴＦＣの送信電力が上限値を超えたスロットが１スロット以上か否かを示す第２情報（１スロット以上の場合：第２情報は「１」、１スロット未満の場合：第２情報「０」）をＴＦＣ状態管理部１７５に出力する。
【００３２】
ＴＦＣ状態管理部１７５は、送信電力判定部１７４の計数結果に基づいて各ＴＦＣの状態を決定する。具体的には、ＴＦＣ状態管理部１７５は、第１情報が「１」であるＴＦＣのうち、現在 Supported Stateに属するＴＦＣを、Excess-Power Stateに遷移させる（Elimination Criterion）。さらに、Excess-Power State がある一定期間続くと、Excess-Power StateからBlocked Stateへ遷移させる(Blocking Criterion)。また、ＴＦＣ状態管理部１７５は、第２情報が「０」であるＴＦＣのうち、現在 Excess-Power State または Blocked Stateに属するＴＦＣを Supported State に遷移させる（Recovery Criterion）。
【００３３】
ＴＦＣ選択部１７６は、Supported State に属するＴＦＣ群の中から１つのＴＦＣを選択し、選択したＴＦＣをＴＦＣ決定部１７７に出力する。また、ＴＦＣ選択部１７６は、選択したＴＦＣの送信電力を送信電力制御部１８２に出力する。
【００３４】
ＴＦＣ決定部１７７は、ＴＦＣ選択部１７６にて選択されたＴＦＣの各ＴＦを、対応するバッファ１７８−１〜１７８−Ｎに指示する。
【００３５】
各バッファ１７８−１〜１７８−Ｎは、対応するＤＣＨ＃１〜＃Ｎのデータを一時的に蓄積し、後述するＴＦＣ決定部１７７から指示されたＴＦに対応するデータをチャネルエンコード部１７９に出力する。
【００３６】
チャネルエンコード部１７９は、各バッファ１７８−１〜１７８−Ｎの出力信号に対して符号化処理を行う。変調部１８０は、チャネルエンコード部１７９の出力信号に対して変調処理を行う。拡散部１８１は、変調部１８０の出力信号に対して拡散処理を行う。送信電力制御部１８２は、ＴＦＣ選択部１７６から出力された送信電力となるように増幅部１８３を制御する。増幅部１８３は、送信電力制御部１８２の制御に基づいて拡散部１８１の出力信号を増幅し、ＤＰＤＣＨ（個別データチャネル）の信号として送信無線部１８４に出力する。
【００３７】
送信無線部１８４は、ＤＰＣＣＨ及びＤＰＤＣＨの信号を多重し、Ｄ／Ａ変換処理およびアップコンバートを行ってアンテナ１０１より無線送信する。
【００３８】
このように、本実施の形態によれば、コンプレストフレームのギャップ区間の各スロットについては、ＴＦＣの送信電力を、ギャップ区間以外のスロットのＴＦＣの送信電力に置き換えることができるので、コンプレストモードが発生した場合にも検出機能による評価を行い適切なＴＦＣを選択することができる。
【００３９】
なお、本実施の形態では、ギャップ区間の各スロットの送信電力をギャップ区間以外のスロットのＴＦＣの送信電力に置き換える場合について説明したが、本発明はこれに限られず、ギャップ区間の各スロットの送信電力を所定の定数（例えば「０」）に置き換える構成としても良い。
【００４０】
（実施の形態２）
図３は、本発明の実施の形態２に係る通信端末装置の構成を示すブロック図である。なお、図３において、図１と共通する構成部分には図１と同一の符号を付して説明を省略する。
【００４１】
図３の通信端末装置は、送信電力判定部３０１、ＴＦＣ状態管理部３０２の作用が、図１の送信電力判定部１７４、ＴＦＣ状態管理部１７５と異なる。
【００４２】
コンプレストモード情報発生部１７３は、コンプレストモードが発生した場合にギャップ区間及びギャップ開始スロット番号を送信電力判定部３０１及びＴＦＣ状態管理部３０２に出力する。
【００４３】
送信電力判定部３０１は、ＴＦＣ毎に当該ＴＦＣの送信電力と上限値をメモリに記憶する。そして、送信電力判定部３０１は、フレームの終端のタイミングで、直近の過去からＹスロットの測定区間においてＴＦＣ毎に当該ＴＦＣの送信電力が上限値を超えたスロットの数を計数し、計数結果に基づく第１情報及び第２情報をＴＦＣ状態管理部３０２に出力する。ただし、送信電力判定部３０１は、測定区間にギャップ区間が存在する場合には計数処理を行わない。
【００４４】
ＴＦＣ状態管理部３０２は、送信電力判定部３０１の計数結果に基づいて各ＴＦＣの状態を決定する。ここで、ＴＦＣ状態管理部３０２は、図４に示すように、測定区間にギャップ区間が存在する場合、前回の計数結果に応じて各ＴＦＣの状態を決定する。
【００４５】
このように、本実施の形態によれば、送信電力判定部３０１は、測定区間にギャップ区間が存在する場合には計数処理を行わないので、実施の形態１の効果に加えて、実施の形態１よりも演算量が減り消費電力を低減することができる。
【００４６】
（実施の形態３）
本発明の実施の形態３に係る通信端末装置の構成は、上記実施の形態１の図１と同一である。本実施の形態では、送信電力判定部１７４の作用が、実施の形態１と異なる。
【００４７】
送信電力判定部１７４は、ＴＦＣ毎に当該ＴＦＣの送信電力と上限値をメモリに記憶する。そして、送信電力判定部１７４は、図５に示すように、フレームの終端のタイミングから過去Ｙスロットに、ギャップ区間が存在しない場合には前記フレームの終端のタイミングで、ギャップ区間が存在する場合には当該ギャップ区間の直前のスロットのタイミングで、ＴＦＣ毎に直近の過去からＹスロットの測定区間において当該ＴＦＣの送信電力が前記上限値を超えたスロットの数を計数する。そして、送信電力判定部１７４は、計数結果に基づく第１情報及び第２情報をＴＦＣ状態管理部１７５に出力する。
【００４８】
このように、本実施の形態によれば、フレームの終端のタイミングから過去Ｙスロットにギャップ区間が存在する場合、評価ポイントを当該ギャップ区間の直前のスロットのタイミングにずらして計数処理を行うことができるので、コンプレストモードが発生した場合にも検出機能による評価を行い適切なＴＦＣを選択することができる。
【００４９】
（実施の形態４）
本発明の実施の形態４に係る通信端末装置の構成は、上記実施の形態１の図１と同一である。本実施の形態では、送信電力判定部１７４の作用が、実施の形態１と異なる。
【００５０】
送信電力判定部１７４は、ＴＦＣ毎に当該ＴＦＣの送信電力と上限値をメモリに記憶する。そして、送信電力判定部１７４は、図６に示すように、フレームの終端のタイミングから過去Ｙスロットに、ギャップ区間が存在しない場合には前記フレームの終端のタイミングで、ギャップ区間が存在する場合には前記フレームの終端のタイミングからに前記ギャップ区間経過後のタイミングで、ＴＦＣ毎に前記ギャップ区間を除く直近の過去からＹスロットの測定区間において当該ＴＦＣの送信電力が前記上限値を超えたスロットの数を計数する。そして、送信電力判定部１７４は、計数結果に基づく第１情報及び第２情報をＴＦＣ状態管理部１７５に出力する。
【００５１】
このように、本実施の形態によれば、フレームの終端のタイミングから過去Ｙスロットにギャップ区間が存在する場合、評価ポイントを当該ギャップ区間経過後のタイミングにずらして計数処理を行うことができるので、コンプレストモードが発生した場合にも検出機能による評価を行い適切なＴＦＣを選択することができる。
【００５２】
（実施の形態５）
図７は、本発明の実施の形態５に係る通信端末装置の構成を示すブロック図である。なお、図７において、図１と共通する構成部分には図１と同一の符号を付して説明を省略する。
【００５３】
図７の通信端末装置は、図１に対して、計数演算部７０２を追加した構成を採る。また、図７の通信端末装置は、送信電力判定部７０１の作用が、図１の送信電力判定部１７４と異なる。
【００５４】
コンプレストモード情報発生部１７３は、コンプレストモードが発生した場合にギャップ区間及びギャップ開始スロット番号を送信電力判定部７０１及び計数演算部７０２に出力する。
【００５５】
送信電力判定部７０１は、ＴＦＣ毎に当該ＴＦＣの送信電力と上限値をメモリに記憶する。そして、送信電力判定部７０１は、フレームの終端のタイミングで、直近の過去からＹスロットの測定区間においてＴＦＣ毎に当該ＴＦＣの送信電力が上限値を超えたスロットの数を計数し、計数演算部７０２に出力する。ただし、送信電力判定部７０１は、図８に示すように、ギャップ区間のスロットは計数処理の対象としない。
【００５６】
計数演算部７０２は、送信電力判定部７０１の計数結果にＹ／（Ｙ−Ｍ）の係数（Ｍは測定区間に含まれるギャップ区間のスロット数）を乗算し、計算結果（測定区間中にＴＦＣの送信電力が上限値を超えたスロット数に係数を乗じた値）がＸスロット以上か否かを示す第１情報（Ｘスロット以上の場合：第１情報は「１」、Ｘスロット未満の場合：第１情報「０」）、計算結果が上限値を超えたスロットが１スロット以上か否かを示す第２情報（１スロット以上の場合：第２情報は「１」、１スロット未満の場合：第２情報「０」）をＴＦＣ状態管理部１７５に出力する。
【００５７】
ＴＦＣ状態管理部１７５は、計数演算部７０２の計算結果に基づいて各ＴＦＣの状態を決定する。
【００５８】
このように、本実施の形態によれば、計数結果に係数を乗算することにより、測定区間にギャップ区間が存在するか否かにかかわらず、測定対象のスロットの数に対するＴＦＣの送信電力が上限値を超えたスロットの数の比率を維持して評価を行うことができるので、コンプレストモードが発生した場合にも検出機能による評価を行い適切なＴＦＣを選択することができる。
【００５９】
なお、上述の計数演算部７０２で実現する第１情報を生成する演算方法として、送信電力判定部７０１の計数結果にＹを乗じたものから、Ｘ（Ｙ−Ｍ）を減じた結果が０以上か否かにより第１情報を生成することもできる。特に、Ｘが１５、Ｙが３０の場合は、上記の計数結果を２倍したものから、（３０−Ｍ）を減じた結果が０以上か否かで判断可能となり、演算を簡略化することができる。
【００６０】
また、上述の計数演算部７０２で実現する第２情報を生成する演算方法として、実施の形態１と同じく、単に測定区間中にＴＦＣの送信電力が上限値を超えたスロットが１スロット以上か否かで第２情報を生成してもよい。
【産業上の利用可能性】
【００６１】
本発明は、ＣＤＭＡ方式の無線通信システムに使用され、ＴＦＣ選択を行う通信端末装置に用いるに好適である。
【図面の簡単な説明】
【００６２】
【図１】本発明の実施の形態１に係る通信端末装置の構成を示すブロック図
【図２】上記実施の形態に係る通信端末装置の検出機能による評価方法を説明する図
【図３】本発明の実施の形態２に係る通信端末装置の構成を示すブロック図
【図４】上記実施の形態に係る通信端末装置の検出機能による評価方法を説明する図
【図５】本発明の実施の形態３に係る通信端末装置の検出機能による評価方法を説明する図
【図６】本発明の実施の形態４に係る通信端末装置の検出機能による評価方法を説明する図
【図７】本発明の実施の形態５係る通信端末装置の構成を示すブロック図
【図８】上記実施の形態に係る通信端末装置の検出機能による評価方法を説明する図
【図９】ＴＦＣ選択を説明するための図
【図１０】ＴＦＣ選択の検出機能及びＴＦＣＳ制限機能を示す状態遷移図
【図１１】ＴＦＣ選択におけるパラメータを示す図
【図１２】ＴＦＣＳ制限機能のタイミングを示す図
【図１３】ＴＦＣＳ検出機能のタイミングの一例を示す図
【図１４】ＴＦＣＳ検出機能のタイミングとコンプレストモードとの関係を説明する図
【符号の説明】
【００６３】
１７１  ＴＦＣ送信電力計算部
１７２  上限値計算部
１７３  コンプレストモード情報発生部
１７４、３０１、７０１  送信電力判定部
１７５、３０２  ＴＦＣ状態管理部
１７６  ＴＦＣ選択部
１７７  ＴＦＣ決定部
７０２  計数演算部
【図１】
2006019868.tif 000003
【図２】
2006019868.tif 000004
【図３】
2006019868.tif 000005
【図４】
2006019868.tif 000006
【図５】
2006019868.tif 000007
【図６】
2006019868.tif 000008
【図７】
2006019868.tif 000009
【図８】
2006019868.tif 000010
【図９】
2006019868.tif 000011
【図１０】
2006019868.tif 000012
【図１１】
2006019868.tif 000013
【図１２】
2006019868.tif 000014
【図１３】
2006019868.tif 000015
【図１４】
2006019868.tif 000016